【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
撮像した画像を動画データとして記録する動画記録手段と、
前記動画データの記録中に撮像場所の位置情報を撮像位置情報として取得する撮像位置情報取得手段と、
前記撮像位置情報取得手段によって取得された前記撮像位置情報を前回撮像位置情報として保持する前回撮像位置情報保持手段と、
前記撮像位置情報と前記前回撮像位置情報とを比較して前記撮像位置情報の示す位置が前記前回撮像位置情報の示す位置より変化したことを示す変化点を検出する変化点検出手段と、
前記変化点が検出されると前記撮像位置情報を変化点位置情報として記録する変化点位置情報記録手段とを具備し、
前記前回撮像位置保持手段は、前記変化点が検出されると前記撮像位置情報を新たな前回撮像位置情報として保持することを特徴とする撮像装置。
【請求項２】
前記変化点位置情報は、前記動画データと関連付けられて記録されることを特徴とする請求項１記載の撮像装置。
【請求項３】
前記変化点検出手段は、前記撮像位置情報の示す位置と前記前回撮像位置情報の示す位置との間が所定距離離れた場合に前記変化点を検出することを特徴とする請求項１記載の撮像装置。
【請求項４】
前記変化点検出手段は、前記撮像位置情報の示す地名と前記前回撮像位置情報の示す地名とが異なるようになった場合に前記変化点を検出することを特徴とする請求項１記載の撮像装置。
【請求項５】
前記撮像位置情報の取得間隔を計時する位置測定タイマーをさらに具備し、
前記撮像位置情報取得手段は、前記位置測定タイマーが前記取得間隔を計時するたびに前記撮像位置情報を取得することを特徴とする請求項１記載の撮像装置。
【請求項６】
動画撮像中に当該撮像装置の速度または加速度を含む移動状態を測定する移動状態測定手段をさらに具備し、
前記変化点位置情報記録手段は、前記変化点が検出されると前記移動状態を前記変化点位置情報の一部として記録することを特徴とする請求項１記載の撮像装置。
【請求項７】
前記変化点が検出されると撮像中の動画の縮小画像を代表画像として生成する代表画像生成手段と、
前記代表画像を変化点代表画像として記録する変化点代表画像記録手段と
をさらに具備することを特徴とする請求項１記載の撮像装置。
【請求項８】
前記変化点位置情報および前記変化点代表画像は、撮像された動画データとともにその付随情報として記録されることを特徴とする請求項７記載の撮像装置。
【請求項９】
動画データを再生する動画再生手段と、
前記動画再生手段による前記動画データの再生時刻に対応する位置情報を再生位置情報として取得する再生位置情報取得手段と、
前記再生位置情報に対応する地名情報を取得する地名情報取得手段と、
前記動画データを前記地名情報に含まれる地名とともに表示する表示手段と
を具備することを特徴とする動画再生装置。
【請求項１０】
前記再生時刻より以前の位置情報を前回再生位置情報として保持する前回再生位置情報保持手段と、
前記再生位置情報と前記前回再生位置情報とを比較して不一致を検出する再生位置情報比較手段とをさらに具備し、
前記地名情報取得手段は、前記不一致が検出されると前記地名情報を取得し、
前記前回再生位置情報保持手段は、前記不一致が検出されると前記再生位置情報を新たな前回再生位置情報として保持する
ことを特徴とする請求項９記載の動画再生装置。
【請求項１１】
前記再生位置情報の取得間隔を計時する表示更新タイマーをさらに具備し、
前記再生位置情報取得手段は、前記表示更新タイマーが前記取得間隔を計時するたびに前記再生位置情報を取得することを特徴とする請求項９記載の動画再生装置。
【請求項１２】
位置情報に対応して地名情報を保持する地名情報保持手段をさらに具備し、
前記地名情報取得手段は、前記地名情報保持手段を検索することにより前記再生位置情報に対応する地名情報を取得することを特徴とする請求項９記載の動画再生装置。
【請求項１３】
動画データの所定時刻における縮小画像とその縮小画像の撮像場所の位置情報とを対応付けて保持する付随情報保持手段と、
前記位置情報に対応する地名情報を取得する地名情報取得手段と、
前記縮小画像を前記地名情報に含まれる地名とともに表示する表示手段と、
前記表示手段によって表示された前記縮小画像の選択指示を受ける操作手段と、
前記選択指示された縮小画像に対応する時刻から前記動画データを再生する動画再生手段と
を具備することを特徴とする動画再生装置。
【請求項１４】
撮像した画像を動画データとして記録する動画記録手段と、
前記動画データの記録中に撮像場所の位置情報を撮像位置情報として取得する撮像位置情報取得手段と、
前記撮像位置情報取得手段によって取得された前記撮像位置情報を前回撮像位置情報として保持する前回撮像位置情報保持手段と、
前記撮像位置情報と前記前回撮像位置情報とを比較して前記撮像位置情報の示す位置が前記前回撮像位置情報の示す位置より変化したことを示す変化点を検出する変化点検出手段と、
前記変化点が検出されると前記撮像位置情報を変化点位置情報として記録する変化点位置情報記録手段と、
前記動画記録手段に記録された動画データを再生する動画再生手段と、
前記動画再生手段による前記動画データの再生時刻に対応する前記変化点位置情報を再生位置情報として取得する再生位置情報取得手段と、
前記再生位置情報に対応する地名情報を取得する地名情報取得手段と、
前記動画データを前記地名情報に含まれる地名とともに表示する表示手段とを具備することを特徴とする動画撮像再生装置。
【請求項１５】
撮像した画像を動画データとして記録する動画記録手段と、
前記動画データの記録中に撮像場所の位置情報を撮像位置情報として取得する撮像位置情報取得手段と、
前記撮像位置情報取得手段によって取得された前記撮像位置情報を前回撮像位置情報として保持する前回撮像位置情報保持手段と、
前記撮像位置情報と前記前回撮像位置情報とを比較して前記撮像位置情報の示す位置が前記前回撮像位置情報の示す位置より変化したことを示す変化点を検出する変化点検出手段と、
前記変化点が検出されると前記撮像位置情報を変化点位置情報として記録する変化点位置情報記録手段と、
前記変化点が検出されると撮像中の動画の縮小画像を代表画像として生成する代表画像生成手段と、
前記代表画像を変化点代表画像として記録する変化点代表画像記録手段と、
前記変化点位置情報に対応する地名情報を取得する地名情報取得手段と、
前記変化点位置情報に対応する変化点代表画像を前記地名情報に含まれる地名とともに表示する表示手段と、
前記表示手段によって表示された前記変化点代表画像の選択指示を受ける操作手段と、
前記選択指示された変化点代表画像に対応する時刻から前記動画データを再生する動画再生手段とを具備し、
前記前回撮像位置保持手段は、前記変化点が検出されると前記撮像位置情報を新たな前回撮像位置情報として保持することを特徴とする動画撮像再生装置。
【請求項１６】
撮像した画像を動画データとして記録する際に撮像場所の位置情報を撮像位置情報として取得する手順と、
前記撮像位置情報とそれ以前の撮像場所の位置情報とを比較して前記撮像位置情報の示す位置がそれ以前の撮像場所の位置情報の示す位置より変化したことを示す変化点を検出する手順と、
前記変化点が検出されると前記撮像位置情報を変化点位置情報として記録する手順と
を具備することを特徴とする撮像方法。
【請求項１７】
動画データの再生時刻に対応する位置情報を再生位置情報として取得する手順と、
前記再生位置情報とそれ以前の位置情報とを比較して不一致を検出する手順と、
前記不一致が検出されると前記再生位置情報に対応する地名情報を取得する手順と、
前記動画データを前記地名情報に含まれる地名とともに表示する手順と
を具備することを特徴とする再生方法。
【請求項１８】
撮像した画像を動画データとして記録する際に撮像場所の位置情報を撮像位置情報として取得する手順と、
前記撮像位置情報とそれ以前の撮像場所の位置情報とを比較して前記撮像位置情報の示す位置がそれ以前の撮像場所の位置情報の示す位置より変化したことを示す変化点を検出する手順と、
前記変化点が検出されると前記撮像位置情報を変化点位置情報として記録する手順と
をコンピュータに実行させることを特徴とするプログラム。
【請求項１９】
動画データの再生時刻に対応する位置情報を再生位置情報として取得する手順と、
前記再生位置情報とそれ以前の位置情報とを比較して不一致を検出する手順と、
前記不一致が検出されると前記再生位置情報に対応する地名情報を取得する手順と、
前記動画データを前記地名情報に含まれる地名とともに表示する手順と
をコンピュータに実行させることを特徴とするプログラム。
【手続補正２】
【補正対象書類名】明細書
【補正対象項目名】００９４
【補正方法】変更
【補正の内容】
【００９４】
また、請求項１１において、表示更新タイマーは例えば表示更新タイマー３７０に対応する。
【手続補正３】
【補正対象書類名】明細書
【補正対象項目名】００９５
【補正方法】変更
【補正の内容】
【００９５】
また、請求項１２において、地名情報保持手段は例えば地名情報データベース７００に対応する。
【手続補正４】
【補正対象書類名】明細書
【補正対象項目名】００９６
【補正方法】変更
【補正の内容】
【００９６】
また、請求項１３において、付随情報保持手段は例えばメタデータ５３０に対応する。また、地名情報取得手段は例えば地名情報取得部３５１に対応する。また、表示手段は例えば表示部３６０に対応する。また、操作手段は例えば操作部１１０に対応する。また、動画再生手段は例えば動画再生部３１０に対応する。
【手続補正５】
【補正対象書類名】明細書
【補正対象項目名】００９７
【補正方法】変更
【補正の内容】
【００９７】
また、請求項１４において、動画記録手段は例えば記録部１５０に対応する。また、撮像位置情報取得手段は例えば撮像位置情報取得部２２０に対応する。また、前回撮像位置情報保持手段は例えば前回撮像位置情報保持部２３０に対応する。また、変化点検出手段は例えば変化点検出部２４０に対応する。また、変化点位置情報記録手段は例えば変化点位置情報５３１に対応する。また、動画再生手段は例えば動画再生部３１０に対応する。また、再生位置情報取得手段は例えば再生位置情報取得部３２０に対応する。また、前回再生位置情報保持手段は例えば前回再生位置情報保持部３３０に対応する。また、再生位置情報比較手段は例えば再生位置情報比較部３４０に対応する。また、地名情報取得手段は例えば地名情報取得部３５１に対応する。また、表示手段は例えば表示部３６０に対応する。
【手続補正６】
【補正対象書類名】明細書
【補正対象項目名】００９８
【補正方法】変更
【補正の内容】
【００９８】
また、請求項１５において、動画記録手段は例えば記録部１５０に対応する。また、撮像位置情報取得手段は例えば撮像位置情報取得部２２０に対応する。また、前回撮像位置情報保持手段は例えば前回撮像位置情報保持部２３０に対応する。また、変化点検出手段は例えば変化点検出部２４０に対応する。また、変化点位置情報記録手段は例えば変化点位置情報５３１に対応する。また、変化点位置情報記録手段は例えば変化点位置情報５３１に対応する。代表画像生成手段は例えばサムネイル生成部２７０に対応する。また、変化点代表画像記録手段は例えば変化点サムネイル５３２に対応する。また、地名情報取得手段は例えば地名情報取得部３５１に対応する。また、表示手段は例えば表示部３６０に対応する。また、操作手段は例えば操作部１１０に対応する。また、動画再生手段は例えば動画再生部３１０に対応する。
【手続補正７】
【補正対象書類名】明細書
【補正対象項目名】００９９
【補正方法】変更
【補正の内容】
【００９９】
また、請求項１６または１８において、撮像した画像を動画データとして記録する際に撮像場所の位置情報を撮像位置情報として取得する手順は例えばステップＳ９１３に対応する。また、撮像位置情報とそれ以前の撮像場所の位置情報とを比較して撮像位置情報の示す位置がそれ以前の撮像場所の位置情報の示す位置より変化したことを示す変化点を検出する手順は例えばステップＳ９１４に対応する。また、変化点が検出されると撮像位置情報を変化点位置情報として記録する手順は例えばステップＳ９１５に対応する。
【手続補正８】
【補正対象書類名】明細書
【補正対象項目名】０１００
【補正方法】変更
【補正の内容】
【０１００】
また、請求項１７または１９において、動画データの再生時刻に対応する位置情報を再生位置情報として取得する手順は例えばステップＳ９２３に対応する。また、再生位置情報とそれ以前の位置情報とを比較して不一致を検出する手順は例えばステップＳ９２６に対応する。また、不一致が検出されると再生位置情報に対応する地名情報を取得する手順は例えばステップＳ９２７に対応する。また、動画データを地名情報に含まれる地名とともに表示する手順は例えばステップＳ９２８に対応する。